(57)【要約】      （修正有）【課題】簡潔な機構で、健常者と病床時の患者に両用できる下肢血流促進および大腿筋増強用トレーニング器を提供する。【解決手段】上面が開放された多角形の基台函１５の底部に、モーター駆動の偏心カム５を設け、偏心カムに裏面が接し、先端部が基台函の底部に設けた支柱１４の支軸１３に支えられて踵部側が上下動する足台板７を設け、足台板の末端側にばね状帯掛け１７を設けたことを特徴とする。また、膝頭上方に巻かれる輪状の弾性止め帯に一端を取り付け、他端をばね状帯掛けに掛けるばね状帯９の装備体を具備する。【選択図】図１
0003220504.tif 000002
【実用新案登録請求の範囲】
【請求項１】
上面が開放された多角形の基台函内に、モーター駆動の偏心カムによって上下動する足台板を設けたことを特徴とする下肢血流促進および大腿筋増強用トレーニング器。
【請求項２】
輪状の弾性止め帯とばね状帯を有する装備体を具備することを特徴とする請求項１記載の下肢血流促進および大腿筋増強用トレーニング器。
【考案の詳細な説明】
【技術分野】
【０００１】    この考案は、下肢血流促進および大腿筋増強用トレーニング器に関するものである。
【背景技術】
【０００２】  従来、利用者が足脚部を中心として筋肉を鍛えるためのトレーニング器は様々なものがあるが、たとえば特許文献１に示す「足脚トレーニング装置」はステップ板に足を載せ踏むようにするが、それはステップ板に圧縮スプリングを取り付けて動力なしに使用し、足脚の筋肉を鍛錬するものである。
【先行技術文献】
【特許文献】
【０００３】
【特許文献１】登録実用新案公報第３１６８４１８号
【考案の概要】
【考案が解決しようとする課題】
【０００４】  下肢血流促進および大腿筋増強用トレーニング用として、動力を用い、簡潔な機構の下肢血流促進および大腿筋増強用トレーニング器となり、健常者の使用と病床時の患者などに両用できる器具を得ることを目的とする。
【課題を解決するための手段】
【０００５】    上面が開放された多角形の基台函内に、モーター駆動の偏心カムによって上下動する足台板を設けたことを特徴とする下肢血流促進および大腿筋増強用トレーニング器および輪状の弾性止め帯とばね状帯を有する装備体を具備することを特徴とする前記記載の下肢血流促進および大腿筋増強用トレーニング器。
【考案の効果】
【０００６】  この考案の下肢血流促進および大腿筋増強用トレーニング器は、利用者が椅子に座り、電動モーターの回転に伴い、偏心カムの回転の楕円運動による足台板踵部の上下可動運動により、利用者の足首も上下に曲がり、ふくらはぎ筋肉のポンプ作用で下肢部の血流が促進される。また病床などで寝た状態で起き上がれない人、または著しく下肢の不自由な人に対しては、仰臥のま丶、基台函のみを転回することにより、同様に対応できる。この考案の下肢血流促進および大腿筋増強用トレーニング器は、電動モーターによる駆動によって、利用者の自力に頼らないので、利用者の疲労、怠慢、飽き気などによる使用不全がなく、電動モーターの回転数の変更による強弱、タイマーによる所要時間の設定などで、使用が簡単でトレーニングが効率的にできる。
【図面の簡単な説明】
【０００７】
【図１】  この考案の下肢血流促進および大腿筋増強用トレーニング器とその使用方法を示した説明図である。
【図２】  図１の右方向から見た説明図である。
【図３】  図２の上方ＩＩ―ＩＩ’線から見た説明図である。
【図４】  この考案の仰臥姿勢の使用方法を示す説明図である。
【図５】  図４において、他の使用方法を示す説明図である。
【考案を実施するための形態】
【０００８】  上面が開放された多角形の基台函内に、モーター駆動の偏心カムによって上下動する足台板を設けたことを特徴とする下肢血流促進および大腿筋増強用トレーニング器とし、さらにまた輪状の弾性止め帯とばね状帯を有する装備体を具備することを特徴とする前記記載の下肢血流促進および大腿筋増強用トレーニング器。
【実施例】
【０００９】  図１は、この考案の実施例の説明図であって、利用者（ａ）が椅子（１）に座った状態で利用する場合［右足側を示す：図２、図３のＩ―Ｉ’線より見た図］であり、床（４）に載置される基台函（１５）を堅牢なフレームで縦横に構成し、上面は開放され、そこから両足の下肢部（ｄ）を挿入するようになっている。（ｂ）はふくらはぎ部である。そして基台函（１５）内下方に設けた足台板（７）に、足（２）を載せて使用する。（１６）は基台函（１５）を形成する外板である。足台板（７）には足止め帯（８）と踵止め（１９）を設け、足（２）を安定させる。そして足台板（７）の下方には、図２において明かなように、電動モーター（１０）のモーター回転軸（１１）に取り付けた偏心カム軸（６）を有する偏心カム（５）を設け、その回転の楕円運動において、上下可動の起点となる足台板支軸（１３）を、下方のフレームに設けた足台板支柱（１４）により取り付ける。（１８）はモーター支台である。【００１０】  すなわち足台板（７）の直下のフレームには、電動モーター（１０）とそのモーター回転軸（１１）に、前記偏心カム（５）の偏心カム軸（６）が一体的に取り付けられている。この電動モーター（１０）は、モーター駆動時間の制約（タイマー：図示せず）と、その回転数変更機能を司るモーターコントローラー（１２）を有する。また図示していないが、足台板（７）と偏心カム（５）が一体となって可動するように、足台板（７）の裏面と、偏心カム（５）の側面部とを、ばね状の伸縮自在の連結体で連結する。  さらに図示していないが、電動モーター（１０）の動力源は、バッテリーまたはＡＣ１００Ｖ用のコンセントを基台函（１５）内に備え、またコードを通す小孔を、基台函外板の適宜の箇所に必要に応じ設ける。【００１１】  電動モーター（１０）を回転させると、前記モーター回転軸（１１）に取り付けられた偏心カム（５）の回転の楕円運動により、足台板（７）は足台板支軸（１３）を起点として上下し、足台板（７）上の足（２）の踵部（ｋ）の上下可動［矢印］に伴ない、足台板（７）に載せた利用者（ａ）の足首（ｍ）も上下に曲がり、それによってふくらはぎ部（ｂ）を含む下肢部（ｄ）の血流の循環が促進される。【００１２】  さらに足台板（７）の踵部（ｋ）の足台板踵部（ｅ）に別途に備えるばね状帯（９）の一端を取り付けるばね状帯掛け（１７）を複数［図３参照］設けて、ばね状帯（９）の一端を掛け、他端を利用者（ａ）の大腿筋（３）に緩みのないように緊張状態で掛けることにより、大腿筋（３）を始め、下肢全体の血流は促進される。ばね状帯（９）の前記一端は、直接、足台板（７）の足台板踵部（ｅ）附近に掛けてもよい。【００１３】  図４に示すように、この考案は病床などで寝た状態で起き上がれない人、または著しく下肢の不自由な人に対しては、ベッド（４’）などで寝た状態で使用する。それは仰臥のま丶、基台函（１５）のみを転回することにより、そこに両足を入れて使用する。その際、利用者（ａ）の足裏が足台板（７）に合致して、図１同様にふくらはぎ部（ｂ）を含む下肢部（ｄ）の血流の循環が促進される。【００１４】  また第５図示のように、ベッド（４’）などで寝た状態で使用するとき���おいて、装備体として掛け具（１７’）を有する輪状の弾性止め帯（ｆ）を膝頭上方に巻き付け、前記ばね状帯（９）を使用して、大腿筋（３）を始め、下肢部全体の血流促進、増強に利用することもできる。なお前記輪状の弾性止め帯（ｆ）と、ばね状帯（９）は、縫合、ホック、ボタン、着脱できる押圧テープなどで一体化してもよい。この輪状の弾性止め帯（ｆ）は、図１のばね状帯（９）を使用する際にも利用できる。
【産業上の利用可能性】
【００１５】  この考案の下肢血流促進および大腿筋増強用トレーニング器は、利用者が椅子に座り、電動モーターの回転に伴い、偏心カムの回転の楕円運動による足台板踵部の上下可動運動により、利用者の足首も上下に曲がり、ふくらはぎ部を含む下肢血流は促進される。また大腿筋を含む下肢部全体の血流が促進され、大腿筋は増強される。さらにまた病床などで寝た状態で起き上がれないとき、または下肢の不自由な人に対しては、基台函を転回することにより、同様に対応できる。この考案の下肢血流促進および大腿筋増強用トレーニング器は、電動モーターによる駆動によって、利用者の疲労、怠慢、飽き気などによる恣意的な使用不全がなく、簡単に所定時間の使用でトレーニングが効率的にできる。利用者はこれらの使用によってふくらはぎ部の筋肉、大腿筋の筋肉を含む下肢部全体の筋肉が増強され、それはつまずきや転倒の防止に役立ち、また長時間の立ち仕事による下肢部のむくみの解消に役立つ。さらに基台函内に機構全体が収納されているので、持ち易く、安全である。
【符号の説明】
【００１６】  １    椅子
２    足
３    大腿筋
４    床
４’  ベッド
５    偏心カム
６    偏心カム軸
７    足台板
８    足止め帯
９    ばね状帯
１０    電動モーター
１１    モーター回転軸
１２    モーターコントローラー
１３    足台板支軸
１４    足台板支柱
１５    基台函
１６    基台函外板
１７    ばね状帯掛け
１７’  掛け具
１８    モーター支台
１９    踵止め
ａ      利用者
ｂ      ふくらはぎ部
ｄ      下肢部
ｅ      足台板踵部
ｆ      輪状の弾性止め帯
ｋ      踵部
ｍ      足首
【図１】
0003220504.tif 000003
【図２】
0003220504.tif 000004
【図３】
0003220504.tif 000005
【図４】
0003220504.tif 000006
【図５】
0003220504.tif 000007
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
上面が開放された多角形の基台函の底部に、モーター駆動の偏心カムを設け、この偏心カムに足台板の裏面が接し、その足台板の先端部が基台函の底部に設けた支柱の支軸に支えられて踵部側が上下動する足台板を設け、この足台板の末端側にばね状帯掛けを設けたことを特徴とする下肢血流促進および大腿筋増強用トレーニング器。
【請求項２】
膝頭上方に巻かれる輪状の弾性止め帯にばね状帯の一端を取り付け、他端をばね状帯掛けに掛けるばね状帯の装備体を具備することを特徴とする請求項１記載の下肢血流促進および大腿筋増強用トレーニング器。
【手続補正２】
【補正対象書類名】明細書
【補正対象項目名】０００５
【補正方法】変更
【補正の内容】
【０００５】  上面が開放された多角形の基台函の底部に、モーター駆動の偏心カムを設け、この偏心カムに足台板の裏面が接し、その足台板の先端部が基台函の底部に設けた支柱の支軸に支えられて踵部側が上下動する足台板を設け、この足台板の末端側に、一端を大腿筋に掛けるばね状帯の、その他端を掛けるばね状帯掛けを設けたことを特徴とする下肢血流促進および大腿筋増強用トレーニング器、および膝頭上方に巻かれる輪状の弾性止め帯にばね状帯の一端を取り付け、他端を足台板踵部のばね状帯掛けに掛けるばね状帯の装備体を具備することを特徴とする前記記載の下肢血流促進および大腿筋増強用トレーニング器。
【手続補正３】
【補正対象書類名】明細書
【補正対象項目名】００１２
【補正方法】変更
【補正の内容】
【００１２】  さらに足台板（７）の踵部（ｋ）の足台板踵部（ｅ）に別途に備えるばね状帯（９）の一端を取り付けるばね状帯掛け（１７）を複数［図３］設けて、ばね状帯（９）の一端を掛け、他端を利用者（ａ）の大腿筋（３）に緩みのないように緊張状態で掛け、足台板（７）の足台板踵部（ｅ）が下降する際、足台板（７）上の足（２）の指先側のみを足台板（７）に着け、踵部（ｋ）はばね状帯（９）の引っ張り力に対抗して浮かすことにより大腿筋力の増強となり、さらに踵部（ｋ）と共に大腿筋（３）を引き上げることにより、大腿筋（３）の引き上げ力が増強され、大腿筋（３）を始め、下肢全体の血流は促進される。ばね状帯（９）の前記一端は、直接、足台板（７）の足台板踵部（ｅ）附近に掛けてもよい。